(57)【特許請求の範囲】
【請求項１】
一定方向に延び、物品を搬送する第一種搬送コンベアと、
前記第一種搬送コンベアに沿って複数本配置され、後端部が該第一種搬送コンベアと交差し、先端部側の第一箱詰部へ前記物品を搬送する第一シュートコンベアと、
前記物品を前記第一種搬送コンベアから前記第一シュートコンベアへ移転する第一移転手段と、
前記第一種搬送コンベアと平行に配置され、物品を搬送する第二種搬送コンベアと、
前記第二種搬送コンベアに沿って複数本配置され、後端部が該第二種搬送コンベアと交差し、先端部側の第二箱詰部へ前記物品を搬送する第二シュートコンベアと、
前記物品を前記第二種搬送コンベアから前記第二シュートコンベアへ移転する第二移転手段と、
を備えた選別設備において、
前記第二シュートコンベアが、一の第一シュートコンベアと他の第一シュートコンベアとのピッチスペースに配置され、
前記第一種搬送コンベア及び第二種搬送コンベアに対して片側に、前記第一シュートコンベア及び第二シュートコンベアの先端側が位置し、
前記第二種搬送コンベアが、前記物品を搬送する搬送部を有し、該搬送部の下部に該搬送方向と逆方向へ戻るリターン部を有する無端回動部材から構成され、該搬送部とリターン部との間に、前記第一シュートコンベアが配置された選別設備。
【請求項２】
前記第一種搬送コンベアにより搬送される物品を既定の第一シュートコンベアへ移転するように前記第一移転手段を制御し、前記第二種搬送コンベアにより搬送される物品を既定の第二シュートコンベアへ移転するように前記第二移転手段を制御する制御手段を備えた請求項１に記載する選別設備。
【請求項３】
前記第一シュートコンベア及び第二シュートコンベアが、前記第一種搬送コンベア及び第二種搬送コンベアに対して直角に配置された請求項１又は請求項２に記載する選別設備。
【請求項４】
前記第一シュートコンベアが二本一対ずつ隣接して平行に配置され、前記第二シュートコンベアが、一の二本一対の第一シュートコンベアと他の二本一対の第一シュートコンベアとのピッチスペースに二本一対ずつ隣接して平行に配置された請求項１〜請求項３のいずれかに記載する選別設備。
【請求項５】
前記第一種搬送コンベアが、物品が載置された受皿を搬送する受皿搬送コンベアであり、
前記第一移転手段が、前記物品が載置された受皿を前記第一種搬送コンベアから前記第一シュートコンベアへ方向変換することにより該物品を該第一シュートコンベアへ移転する方向変換手段であり、
前記第二種搬送コンベアが、物品を小片により支持しながら搬送する小片支持式搬送コンベアであり、
前記第二移転手段が、前記小片による物品の支持を解除させて該物品を前記第二シュートコンベア上へ移転する支持解除手段である請求項１〜請求項４のいずれかに記載する選別設備。
【発明の詳細な説明】
【技術分野】
【０００１】
本発明は、青果物等の物品の外観又は内部状態等をセンサー等によって検出した後、検出結果に対応する箱詰部へ物品を搬送して仕分ける選別設備に関する。
【背景技術】
【０００２】
従来から、青果物等の物品を一定方向に搬送し、外観等をセンサー等によって検出した後、検出結果に対応する搬送部へ搬送する選別設備が知られている。例えば、特許文献１には、搬送コンベアにより搬送する青果物をカメラ装置により等階級を検出し、等階級の検出された青果物は、搬出合流手段により、等階級に対応する箱詰部へ搬送する選別装置が、実施例として示されている。
【０００３】
また、同様にして青果物を箱詰部へ搬送して仕分ける図５に示す選別設備１及び図６に示す選別設備２が考えられている。選別設備１は、受皿１００に載置した青果物（物品）１０２を搬送する受皿搬送コンベア（第一種搬送コンベア）３と、受皿搬送コンベア３に沿って複数本配置された第一シュートコンベア４と、受皿搬送コンベア３と平行に配置され、小片１０４により支持する青果物９を搬送する小片支持式搬送コンベア（第二種搬送コンベア）５と、小片支持式搬送コンベア５に沿って複数本配置された第二シュートコンベア６と、を備え、受皿搬送コンベア３及び小片支持式搬送コンベア５に対して、第一シュートコンベア４の先端側と第二シュートコンベア６の先端側とが互いに反対側に位置している。これにより、受皿搬送コンベア３に対応する箱詰部７と小片支持式搬送コンベア５に対応する箱詰部８とが、受皿搬送コンベア３及び小片支持式搬送コンベア５に対して、互いに反対側に位置している。また、選別設備２は、選別設備１と同様に、受皿搬送コンベア３と、第一シュートコンベア４と、小片支持式搬送コンベア５と、第二シュートコンベア６と、を備えているが、第一シュートコンベア４の先端側と第二シュートコンベア６の先端側とが互いに対向して位置し、受皿搬送コンベア３に対応する箱詰部７と小片支持式搬送コンベア５に対応する箱詰部８とが、受皿搬送コンベア３と小片支持式搬送コンベア５との間に位置している。
【先行技術文献】
【特許文献】
【０００４】
【特許文献１】特開平３−２１３８２号公報
【発明の概要】
【発明が解決しようとする課題】
【０００５】
しかしながら、特許文献１に示す選別装置及び上記選別設備１によれば、箱詰部が受皿搬送コンベア３及び小片支持式搬送コンベア５等に対して両側に分断されるため、箱詰作業を行う作業者も両側に分断されることとなる。このため、２本の搬送コンベアに対して両側で作業者の人数を夫々確保しなければならず、作業人数の削減が困難であった。また、上記選別設備２についても、箱詰後の製品搬送ライン１０６を配置した場合には、箱詰部が製品搬送ライン１０６によって分断されるため、箱詰作業を行う作業者も両側に分断されることとなる。また、選別設備１及び２によれば、受皿搬送コンベア３と小片支持式搬送コンベア５とで同じ青果物について同様の選別を行う場合、同じ等階級の青果物が２箇所に分断されて箱詰され、箱詰め作業において端数品が生じ易くなり、作業効率が悪くなるという不具合も生じ得る。また、特許文献１に示す選別装置、選別設備１及び２の場合、搬送コンベアから箱詰部まで搬送するシュートコンベアを２箇所に配置するため、設置スペースが膨大となる。
【０００６】
そこで、本発明者は、このような課題の原因を究明してこのような課題を解決するべく、鋭意研究を重ねた結果、本発明に至ったのである。
【０００７】
すなわち、本発明は、箱詰作業の作業者の人員の削減が可能となるとともに、選別ライン全体の作業効率を向上させ、設置スペースの削減ができる選別設備を提供することを目的とする。
【課題を解決するための手段】
【０００８】
本発明の選別設備は、一定方向に延び、物品を搬送する第一種搬送コンベアと、前記第一種搬送コンベアに沿って複数本配置され、後端部が該第一種搬送コンベアと交差し、先端部側の第一箱詰部へ前記物品を搬送する第一シュートコンベアと、前記物品を前記第一種搬送コンベアから前記第一シュートコンベアへ移転する第一移転手段と、前記第一種搬送コンベアと平行に配置され、物品を搬送する第二種搬送コンベアと、前記第二種搬送コンベアに沿って複数本配置され、後端部が該第二種搬送コンベアと交差し、先端部側の第二箱詰部へ前記物品を搬送する第二シュートコンベアと、前記物品を前記第二種搬送コンベアから前記第二シュートコンベアへ移転する第二移転手段と、を備えた選別設備において、前記第二シュートコンベアが、一の第一シュートコンベアと他の第一シュートコンベアとのピッチスペースに配置され、前記第一種搬送コンベア及び第二種搬送コンベアに対して片側に、前記第一シュートコンベア及び第二シュートコンベアの先端側が位置し、前記第二種搬送コンベアが、前記物品を搬送する搬送部を有し、該搬送部の下部に該搬送方向と逆方向へ戻るリターン部を有する無端回動部材から構成され、該搬送部とリターン部との間に、前記第一シュートコンベアが配置されたことを特徴とする。
【０００９】
また、本発明の選別設備は、前記選別設備において、前記第一種搬送コンベアにより搬送される物品を既定の第一シュートコンベアへ移転するように前記第一移転手段を制御し、前記第二種搬送コンベアにより搬送される物品を既定の第二シュートコンベアへ移転するように前記第二移転手段を制御する制御手段を備えたことを特徴とする。
【００１０】
また、本発明の選別設備は、前記選別設備において、前記第一シュートコンベア及び第二シュートコンベアが、前記第一種搬送コンベア及び第二種搬送コンベアに対して直角に配置されたことを特徴とする。
【００１１】
また、本発明の選別設備は、前記選別設備において、前記第一シュートコンベアが二本一対ずつ隣接して平行に配置され、前記第二シュートコンベアが、一の二本一対の第一シュートコンベアと他の二本一対の第一シュートコンベアとのピッチスペースに二本一対ずつ隣接して平行に配置されたことを特徴とする。
【００１２】
また、本発明の選別設備は、前記選別設備において、前記第一種搬送コンベアが、物品が載置された受皿を搬送する受皿搬送コンベアであり、前記第一移転手段が、前記物品が載置された受皿を前記第一種搬送コンベアから前記第一シュートコンベアへ方向変換することにより該物品を該第一シュートコンベアへ移転する方向変換手段であり、前記第二種搬送コンベアが、物品を小片により支持しながら搬送する小片支持式搬送コンベアであり、前記第二移転手段が、前記小片による物品の支持を解除させて該物品を前記第二シュートコンベア上へ移転する支持解除手段であることを特徴とする。
【発明の効果】
【００１３】
本発明の選別設備によれば、第一種搬送コンベア、第一シュートコンベア、第二種搬送コンベア、及び第二シュートコンベアについて、第二シュートコンベアが、一の第一シュートコンベアと他の第一シュートコンベアとのピッチスペースに配置し、第一種搬送コンベア及び第二種搬送コンベアに対して片側に、第一シュートコンベア及び第二シュートコンベアの先端側が位置する構成とすることにより、第一箱詰部及び第二箱詰部が、第一種搬送コンベア及び第二種搬送コンベアに対して片側に集約し、箱詰作業を行う作業者も第一種搬送コンベア及び第二種搬送コンベアに対して片側に集約することとなるため、箱詰作業を行う作業者が２箇所に分断する場合と異なり、作業者の削減が容易となる。また、同じ等階級の青果物が２箇所に分断されることがなくなるため、箱詰め作業において端数品が生じ難くなって作業効率を向上させることができる。また、端数品が生じても、端数品の数が減少することにより、端数品の処理が容易になる。また、第一シュートコンベア及び第二シュートコンベアが第一種搬送コンベア及び第二種搬送コンベアに対して片側に集約することにより、設置スペースを少なくすることができる。すなわち、本発明の選別設備によれば、箱詰作業の作業者の人員の削減が可能となるとともに、作業効率を向上させ、設置スペースの削減ができる。
【図面の簡単な説明】
【００１４】
【図１】本発明の選別設備を示す平面図である。
【図２】図１の選別設備を示す正面図である。
【図３】図１の選別設備を配置した示す青果物選別フロアーを示す平面図である。
【図４】図１の選別設備を周辺設備も含めて示す正面図である。
【図５】従来の選別設備を示す平面図である。
【図６】従来の選別設備を示す平面図である。
【発明を実施するための形態】
【００１５】
次に、本発明に係る選別設備について、図面に基づいて詳しく説明する。図１〜図４において、符号１０は本発明の選別設備を示す。
【００１６】
本発明の選別設備１０は、図１に示すように、一定方向に延び、青果物（物品）１２を搬送する第一種搬送コンベア１４と、第一種搬送コンベア１４に沿って複数本配置され、後端部が第一種搬送コンベア１４と交差し、先端部側の第一箱詰部１６へ青果物１２を搬送する第一シュートコンベア１８と、青果物１２を第一種搬送コンベア１４から第一シュートコンベア１８へ移転する第一移転手段２０と、第一種搬送コンベア１４と平行に配置され、青果物１２を搬送する２本の第二種搬送コンベア２２と、第二種搬送コンベア２２に沿って複数本配置され、後端部が第二種搬送コンベア２２と交差し、先端部側の第二箱詰部２４へ青果物１２を搬送する第二シュートコンベア２６と、青果物１２を第二種搬送コンベア２２から第二シュートコンベア２６へ移転する第二移転手段２８と、を備えた選別設備に関する発明である。
【００１７】
本発明の選別装置１０は、第二シュートコンベア２６が、一の第一シュートコンベア１８と他の第一シュートコンベア１８とのピッチスペース３０に配置され、第一種搬送コンベア１４及び第二種搬送コンベア２２に対して片側に、第一シュートコンベア１８及び第二シュートコンベア２６の先端側が位置することにより、第一箱詰部１６及び第二箱詰部２４を第一種搬送コンベア１４及び第二種搬送コンベア２２に対して片側に集約させて構成されている。また、第一シュートコンベア１８及び第二シュートコンベア２６は、第一種搬送コンベア１４及び第二種搬送コンベア２２に対して直角に配置されている。また、第一シュートコンベア１８が二本一対ずつ隣接して、図１において平面視平行に配置され、第二シュートコンベア２６が、一の二本一対の第一シュートコンベア１８と他の二本一対の第一シュートコンベア１８とのピッチスペース３０に二本一対ずつ隣接して平行に配置されている。二本一対の第二シュートコンベア２６の間には、中仕切部材１００が設けられている。
【００１８】
また、選別設備１０は、第一種搬送コンベア１４により搬送される青果物１２を既定の第一シュートコンベア１８へ移転するように第一移転手段２０を制御し、第二種搬送コンベア２２により搬送される青果物１２を既定の第二シュートコンベア２６へ移転するように第二移転手段２８を制御する図示しない制御手段を備えている。
【００１９】
第一種搬送コンベア１４は、青果物１２が載置された受皿３２を搬送する受皿搬送コンベア（例えばベルトコンベア）であり、第一移転手段２０は、青果物１２が載置された受皿３２を押圧して第一種搬送コンベア１４から第一シュートコンベア１８へ方向変換することにより青果物１２を第一シュートコンベア１８へ移転する方向変換手段である。第二種搬送コンベア２２は、青果物１２を小片３４により支持しながら搬送する小片支持式搬送コンベアであり、第二移転手段２８は、図２に示すように、小片３４を傾倒することにより青果物１２の支持を解除させて青果物１２を第二シュートコンベア２２上へ落下させて移転する支持解除手段である。
【００２０】
また、第二種搬送コンベア２２は、図２に示すように、青果物１２を搬送する搬送部３６を有し、搬送部３６の下部に搬送方向と逆方向へ戻るリターン部３８を有する無端回動部材４０から構成され、搬送部３６とリターン部３８との間に、第一シュートコンベア１８が配置されている。これにより、第一シュートコンベア１８を、第二種搬送コンベア２２に対して交差させることが可能となり、第一箱詰部１６及び第二箱詰部２４を第一種搬送コンベア１４及び第二種搬送コンベア２２に対して片側に集約させる配置が可能となる。なお、図２において、第一シュートコンベア１８が第二シュートコンベア２６よりも下に位置するが、その上下関係は特に限定されない。また、無端回動部材４０は、エンドレスベルトであってもエンドレスチェーンであってもよい。
【００２１】
なお、図３及び図４に示すように、第一箱詰部１６及び第二箱詰部２４において選別作業を行う作業者１０２の後方には、箱搬送ライン４２が配置されている。箱搬送ライン４２は、選別後の青果物１２を箱詰した箱４５を搬送する下段の製品搬送ライン４４と、空の箱４５を搬送する中段の空箱搬送ライン４６と、上段の空箱搬送ライン４８とから構成されている。また、図４に示すように、選別設備１０の上方には、自動倉庫５３から第一箱詰部１６及び第二箱詰部２４に図示しない副資材や副資材を入れた箱４７又は空の箱４５を供給するための流動棚５０が配置されている。副資材とは、青果物のクッション材や青果物を固定する段ボール板等である。また、図２及び図４に示すように、第一シュートコンベア１８の下部には、空の受皿３２の返却ラインとして、図２及び図４においてリターン部３８と同方向へ空の受皿３２を搬送する返却ライン４９（ａ）及び４９（ｂ）と、返却ライン４９（ｂ）から連続し図２及び図４において搬送部３６と同方向へ空の受皿３２を搬送する返却ライン４９（ｃ）とが設置されている。なお、返却ライン４９（ａ）は返却ライン４９（ａ）上の空の受皿３２を返却ライン４９（ｂ）へと合流させるように構成されている。
【００２２】
このような構成の選別設備１０であり、図３に示す青果物選別フロアー６０に設置された選別設備１０の作用を以下に説明する。
【００２３】
トマトや梨等の青果物１２は、コンテナに入れられて、図３に示す一方のコンテナライン７０（ａ）から一の種類の青果物１２が一方の手選部７２（ａ）へ搬送され、他方のコンテナライン７０（ｂ）から他の種類の青果物１２が他方の手選部７２（ｂ）へ搬送され、各手選部７２（ａ）及び（ｂ）において作業者による等級及び／又は階級の目視検査が行われる。一方の手選部７２（ａ）においては、青果物１２が受皿３２に載置され、青果物１２の載置された受皿３２は等級及び／又は階級に応じて作業者により移動され第一種搬送コンベア１４へ移載される。他方の手選部７２（ｂ）においては、青果物１２は、等級及び／又は階級に応じて、第二種搬送コンベア２２の所定の小片３４上に載置される。このようにして、第一種搬送コンベア１４又は第二種搬送コンベア２２に載置された各青果物１２は、内部センサー７４及び外観センサー７６による検査が行われる。制御手段は、これらの検査結果を認識し、各青果物１２の搬送先となる第一シュートコンベア１８又は第二シュートコンベア２６を決定し既定データとして記憶する。すなわち、この時点で、各青果物１２が送られる箱詰部１６又は２４が決定される。次に、各青果物１２は、第一種搬送コンベア１４上の受皿３２、又は第二種搬送コンベア２２の小片３４上に載置された状態で選別設備１０において以下のように選別が行われる。なお、２本のコンテナライン７０から同種類の青果物１２が送られることがあり、１本のコンテナライン７０のみを使用することもある。
【００２４】
選別設備１０においては、図１に示すように、青果物１２を載置した第一種搬送コンベア１４上の受皿３２は、制御手段の指令により、第一移転手段２０によって既定の第一シュートコンベア１８へ移転させられる。第一シュートコンベア１８へ移転させられた受皿３２は、第一シュートコンベア１８の先端側の箱詰台８０に向けて搬送され、箱詰部１６に居る作業者１０２は、受皿３２から青果物１２を取り出して箱詰台８０上で箱詰作業を行う。青果物１２を詰める箱４５は、空箱搬送ライン４６又は４８から作業者１０２によって取出される。箱詰作業に使用する副資材及び箱４７は、流動棚５０から作業者１０２の手元へ搬送され作業者１０２によって取り出されて使用される。副資材及び箱４７は、一個受け取られたことをセンサー５１が認識することにより、次の一個が流動させられる。なお、青果物１２の種類や量によっては、空の箱４５が流動棚５０から作業者１０２の手元へ搬送されることもある。一定個数の青果物１２の箱詰作業の終了した箱４５は、作業者１０２の後方に位置する箱搬送ライン４２の製品搬送ライン４４に載置され、製品搬送ライン４４上を下流へ搬送される。なお、青果物１２を箱詰した箱４５を搬送する製品搬送ライン４４が、第一シュートコンベア１８の下方に位置する場合は、引込コンベア又は押出プッシャー等の移載装置を使用して箱詰した箱４５を製品搬送ライン４４上に移載する必要性があることから、移載装置から製品搬送ライン４４への箱４５の合流による衝突を回避するために移載装置の作動を一時的に中断させる状況が生じることがあるが、作業者１０２が自ら箱４５を後方の製品搬送ライン４４へ移載していくため、作業者の載置作業及び箱詰作業が制限を受けることがない。また、製品搬送ライン４４が箱詰台８０の下方ではなく、作業者の後方に位置するため、箱詰台８０と干渉しないように箱サイズが制限されることがない。
【００２５】
一方、第二種搬送コンベア２２の小片３４上に載置された青果物１２は、制御手段の指令により、所定位置で小片３４が傾倒させられて、既定の第二シュートコンベア２６上へ落下させられて移転させられる。第二シュートコンベア２６へ移転させられた青果物１２は、第二シュートコンベア２６の先端側の箱詰台８０に向けて搬送され、箱詰部２４に居る作業者１０２は、第二シュートコンベア２６から青果物１２を取り出して、箱詰台８０上で、空箱搬送ライン４６若しくは４８又は流動棚５０から搬送された箱４５への箱詰作業を行い、箱詰の終了した箱４５を製品搬送ライン４４に載置する。
【００２６】
このようにして、第一種搬送コンベア１４から第一シュートコンベア１８へ移転された青果物１２は箱詰部１６において、第二種搬送コンベア２２から第二シュートコンベア２６へ移転された青果物１２は箱詰部２４において、各々箱詰作業が行われる。第一箱詰部１６及び第二箱詰部２４は、第一種搬送コンベア１４及び第二種搬送コンベア２２に対して片側に集約しているため、箱詰作業を行う作業者も第一種搬送コンベア１４及び第二種搬送コンベア２２に対して片側に集約することとなる。
【００２７】
このような選別設備１０によれば、第一箱詰部１６及び第二箱詰部２４が、第一種搬送コンベア１４及び第二種搬送コンベア２２に対して片側に集約し、箱詰作業を行う作業者も第一種搬送コンベア１４及び第二種搬送コンベア２２に対して片側に集約することとなるため、箱詰作業を行う作業者が２箇所に分断する場合と異なり、作業者の削減が容易となる。また、同一の等階級の青果物１２を隣接する第一箱詰部１６又は第二箱詰部２４へ搬送することにより、箱詰め作業において端数品となる青果物１２が生じ難くなる。
【００２８】
また、第一シュートコンベア１８が二本一対ずつ隣接して平面視平行に配置され、第二シュートコンベア２６が、一の二本一対の第一シュートコンベア１８と他の二本一対の第一シュートコンベア１８とのピッチスペース３０に二本一対ずつ隣接して平面視平行に配置されているため、作業者の配置等の理由により生じるピッチスペース３０を有効に利用して第二シュートコンベア２６を配置することにより、選別設備１０全体の設置スペースを極力少なくすることができる。例えば、図５の選別設備１及び図６の選別設備２に対して、約半分の設置スペースで足りることとなる。
【００２９】
以上、本発明の一実施形態について説明したが、本発明はその他の態様でも実施できる。例えば、第一種搬送コンベア及び第二種搬送コンベアは、両者間で方式が異なれば、その態様は、上述の受皿搬送コンベア及び小片支持式搬送コンベアの態様の他、物品をローラーコンベア上で移動させる態様、物品を無端回動チェーンに保持された載置台に載置して移動させる態様、受皿を用いず物品を直接無端回動ベルト上に載置して移動させる態様等、特に限定されない。また、第一移転手段及び第二移転手段の態様は、上述の方向変換手段及び支持解除手段の他、搬送コンベアが備える皿に物品を載置しておき皿を傾倒することによりシュートコンベアへ物品を移転する態様、スライド部材又は回動部材によって物品を押圧してシュートコンベアへ物品を移転する態様等、特に限定されない。また、第一シュートコンベア及び第二シュートコンベアは、両者間で方式が異なっても同一でもよく、その態様は、物品をローラーコンベア上で移動させる態様、物品を無端回動チェーンに保持された載置台に載置して移動させる態様、物品を無端回動ベルト上に載置して移動させる態様等、特に限定されない。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３０】
本発明の選別設備によれば、箱詰作業の作業者の人員の削減が可能となるとともに、作業効率を向上させ、設置スペースの削減ができるため、物品の選別作業のために広く利用できる。
【符号の説明】
【００３１】
１０：選別設備
１２：青果物（物品）
１４：受皿搬送コンベア（第一種搬送コンベア）
１６：第一箱詰部
１８：第一シュートコンベア
２０：方向変換手段（第一移転手段）
２２：小片支持式搬送コンベア（第二種搬送コンベア）
２４：第二箱詰部
２６：第二シュートコンベア
２８：支持解除手段（第二移転手段）
３０：ピッチスペース
３２：受皿
３４：小片
３６：搬送部
３８：リターン部
【図１】
0005454125.tif 000002
【図２】
0005454125.tif 000003
【図３】
0005454125.tif 000004
【図４】
0005454125.tif 000005
【図５】
0005454125.tif 000006
【図６】
0005454125.tif 000007